(57)【要約】【課題】あらゆる色合のドアにも適合できるドア用小窓を提供する。【解決手段】ドアパネルＰの装着穴１に係合装着されるホルダー２と、ホルダー２に支持される窓板３とを有する。ホルダー２は、装着穴１の周縁壁で受け止められるフランジ４と、フランジ４の片面から突設されて、装着穴１に差し込み係合される弾性係合片５とを備えている。ホルダー２の少なくともフランジ４を透明プラスチック材で形成することにより、フランジ４を介してドアパネルＰの色を見ることができ、あたかもフランジ４がドアパネルＰと同じ色合に着色してあるように見える。従って、どのような色合のドアパネルＰにも適合できる小窓が得られる。【選択図】        図１
2004360244.tif 000002
【特許請求の範囲】
【請求項１】
ドアパネルＰの装着穴１に係合装着されるホルダー２と、ホルダー２で支持される窓板３とを備えており、
ホルダー２は、装着穴１の周縁壁で受け止められるフランジ４と、フランジ４の片面から突設されて、装着穴１に差し込み係合される弾性係合片５とを備えており、
ホルダー２の少なくともフランジ４が透明プラスチック材で形成してあることを特徴とするドア用小窓。
【請求項２】
ホルダー２の全体が透明プラスチック材で形成されており、フランジ４の中央に形成した窓開口６が、窓板３で塞がれている請求項１記載のドア用小窓。
【請求項３】
フランジ４の中央に窓開口６と、窓板３の周縁を受け止める段部７とが形成されており、
段部７の周縁複数箇所に、径方向へ弾性変形可能な押え爪８が設けられており、
窓板３が押え爪８の弾性に抗して段部７に圧嵌装着されて、その周縁が段部７と押え爪８とで内外方向から挟み固定されている請求項２記載のドア用小窓。
【請求項４】
一対のホルダー４がドアパネルＰの装着穴１に対向状に装着されており、
両ホルダー４の窓開口６が、それぞれ窓板３で塞がれている請求項１記載のドア用小窓。
【請求項５】
窓板３の片面に、光拡散部１９が形成されている請求項１記載のドア用小窓。
【請求項６】
窓板３とホルダー２とが、透明プラスチック材で一体に形成されている請求項１記載のドア用小窓。
【発明の詳細な説明】
【０００１】
【発明の属する技術分野】
本発明は、トイレやクローゼットなどのドアに適用される小窓に関する。
【０００２】
【従来の技術】
従来のこの種の小窓として、雄ねじ筒と雌ねじ筒、および窓板とで構成した形態が特許文献１に公知である。そこでは、ドアを挟んで対向状に配置した両ねじ筒を互いにねじ込むことによって、窓板を両筒の間に挟持固定している。ねじ筒の筒壁にスリットを形成して、両筒を単に押し込み操作するだけで、ドアに対する取り付けがワンタッチ化できるようにした小窓もある（特許文献２、３参照）。
【０００３】
【特許文献１】
実開平６−６５５９６号公報（請求項１、図２）
【特許文献２】
特開平８−３２６４４２号公報（段落番号００１５、図１）
【特許文献３】
特開平１０−１０２９４０号公報（段落番号０００９、図１）
【０００４】
【発明が解決しようとする課題】
特許文献１の小窓は、構成部品点数が少ないので低コストで提供できるうえ、ねじを結合要素とするのでドアの厚み変化にも柔軟に対応できる。しかし、片方のねじ筒を開放してあるので、ねじ筒の内面やレンズに塵埃が付着しやすい。雄ねじ筒と雌ねじ筒をねじ込んで結合固定するので、ドアパネルに取り付けるのに手間が掛かる。
【０００５】
この点、特許文献２、３の小窓はワンタッチで両ねじ筒を結合でき、取り付けの手間を著しく省くことができる。また、両ねじ筒のそれぞれにレンズを装着してあるので、塵埃が筒内に入り込むこともない。しかし、メーカーの違いやドアの品種の違いに応じて、色が異なる小窓を多種類用意しなければならない点に問題がある。小窓は、ドアの色と同系統の色であることが望まれるが、ドアの色が多様すぎるため、ドアに適合した色の小窓を選定できないのが実情である。多くの場合は、代表的な色合の小窓が数種類用意してあるだけで、無難な色合の小窓を選定できるに過ぎない。顧客の注文に応じて、指定された色の小窓を生産することはできるが、既製品の小窓に比べてコストが高く付く。
【０００６】
本発明の目的は、小窓を低コストで提供できること、ドアの厚み変化にも柔軟に対応できること、ドアに対する取り付けが簡単であることを満足し、あらゆる色合のドアに適合できるドア用小窓を提供することにある。本発明の目的は、窓板のホルダーに対する組み付けが簡便に行え、その分だけ安価に提供できるドア用小窓を得ることにある。
【０００７】
【課題を解決するための手段】
本発明のドア用小窓においては、ドアパネルＰの装着穴１に係合装着されるホルダー２と、ホルダー２で支持される窓板３とを備えている。ホルダー２は、装着穴１の周縁壁で受け止められるフランジ４と、フランジ４の片面から突設されて、装着穴１に差し込み係合される弾性係合片５とを備えており、ホルダー２の少なくともフランジ４が、透明プラスチック材で形成されていることを特徴とする（請求項１）。
【０００８】
ホルダー４はこれ全体を透明プラスチック材で形成することができる。フランジ４の中央に形成した窓開口６は、窓板３で塞ぐ（請求項２）。
【０００９】
フランジ４の中央に窓開口６と、窓板３の周縁を受け止める段部７とを形成する。段部７の周縁複数箇所に、径方向へ弾性変形可能な押え爪８を設ける。窓板３は押え爪８の弾性に抗して段部７に圧嵌装着されて、その周縁を段部７と押え爪８とで内外に挟み固定してある（請求項３）。
【００１０】
一対のホルダー４は、ドアパネルＰの装着穴１に対して対向状に装着し、両ホルダー４の窓開口６をそれぞれ窓板３で塞ぐことができる（請求項４）。
【００１１】
窓板３の片面には、光拡散部１９を形成する（請求項５）。そして、窓板３とホルダー２とを透明プラスチック材で一体に形成することができる（請求項６）。
【００１２】
【発明の作用効果】
本発明に係るドア用小窓は、ホルダー２と、ホルダー２で支持される窓板３を構成要素にし、弾性係合片５を装着穴１に差し込んで、フランジ４を装着穴１の周縁壁に密着させるだけで、ホルダー２を装着穴１に簡単に取り付けることができるので、ドアに対する組み付け作業を簡単に行える。ドアの厚み寸法が増加する場合にも問題なく適用できる。
【００１３】
ホルダー２のうち、少なくとも装着穴１の周縁壁で受け止められるフランジ４が透明プラスチック材で形成されているので、ホルダー２を装着穴１に差し込み装着した状態において、フランジ４を介してドアパネルＰの色を見透すことができ、あたかもフランジ４がドアパネルＰと同じ色合に着色してあるように見える。従って、ドアパネルＰの色がどのような色合であっても、透明な１種類のホルダー２を用意するだけで、全てのドアに適用できる小窓が得られ、その製作コストを削減化できる（請求項１）。
【００１４】
ホルダー２の全体を透明プラスチック材で形成し、フランジ４の中央に形成した窓開口６を窓板３で塞ぐようにした小窓によれば、例えばフランジ４のみを透明材で形成する場合に比べて、ホルダー２の成形コストを削減でき、その分だけ小窓を安価に提供できる（請求項２）。
【００１５】
フランジ４の中央に窓開口６と段部７とを形成し、段部７の周縁複数箇所に設けた押え爪８と段部７とで、窓板３の周縁を内外方向から挟み固定する構造の小窓によれば、押え爪８の弾性に抗して窓板３を段部７に圧嵌装着するだけで、窓板３をホルダー２に組み付けることができ、例えば窓板３をホルダー２に溶着固定する場合に比べて、窓板３のホルダー２に対する組み付けを簡便に行え、組立に要するコストが減る分だけ小窓をさらに安価に提供できる（請求項３）。
【００１６】
一対のホルダー４をドアパネルＰの装着穴１に対して対向状に装着し、両ホルダー４の窓開口６のそれぞれを窓板３で塞ぐようにした小窓によれば、装着穴１の内外の開口を窓板３で塞いで塵埃がホルダー２の内部に入り込むのを阻止できる。従って、長期使用時にも、塵埃による窓板３のくすみを防止して、ドアパネルＰ越しに照明光が点灯しているか否かの確認が常に明確に行える（請求項４）。
【００１７】
窓板３の片面に光拡散部１９が形成されていると、小窓を通過する光を拡散させて、レンズ部１７を介して見える映像を視認不能な状態にまで歪めることができるので、照明光が点灯しているか否かの確認を確実に行いながら、プライバシーを保護できる（請求項５）。
【００１８】
窓板３とホルダー２とが、透明プラスチック材で一体に形成された小窓によれば、小窓の構成部品点数を最小限化し、窓板３を組み付ける手間も省けるので、小窓をさらに低コストで提供できる（請求項６）。
【００１９】
【実施例】
図１ないし図４は、本発明に係るドア用小窓の実施例を示す。図２においてドア用小窓は、ドアパネルＰの装着穴１に係合装着されるホルダー２と、ホルダー２で支持される窓板３とを含む。ホルダー２は、装着穴１の周縁壁で受け止められる円形のフランジ４と、フランジ４の片面から突設される弾性係合片５とを一体に備えた透明のプラスチック成形品からなる。
【００２０】
図１および図３においてフランジ４の中央には、円形の窓開口６が開口しており、その内面側に窓開口６より直径寸法が大きな円形の段部７を形成してある。段部７の周縁には、先の弾性係合片５と押え爪８とが交互に３個ずつ形成してある。押え爪８は、段部７の周縁外方に立設される門形の爪枠１０と、爪枠１０の突端から段部７に向かって斜めに突設される逆Ｌ字状の爪片１１とからなる（図１参照）。爪枠１０は拡径方向へ弾性変形できる。
【００２１】
図１において弾性係合片５は、径方向へ弾性変形可能な部分筒壁状の弾性脚１３と、弾性脚１３の外面に形成した鋸刃状の喰込爪１４とからなる。弾性脚１３の突端外面には、係合案内面１５が先すぼまり状に形成してある。
【００２２】
図１および図４において、係合案内面１５の先端部を通る仮想円直径Ｄ１は、装着穴１の直径寸法Ｄ２より小さく設定するが、係合案内面１５に隣接する喰込爪１４の先端を通る仮想円直径Ｄ３は、装着穴１の直径寸法Ｄ２より大きく設定する。弾性係合片５の装着穴１に対する差し込み操作を容易化しながら、ホルダー２を装着穴１に差し込み係合した状態では、弾性脚１３を縮径方向へ弾性変形させて、喰込爪１４を装着穴１に圧接させるためである。
【００２３】
窓板３は、凸レンズからなるレンズ部１７と、レンズ部１７の周縁に張り出し形成した円形の装着部１８とを一体に形成した、透明材性のプラスチック成形品からなる。レンズ部１７の内面側には、一群の突起で構成される光拡散部１９を形成してある。光拡散部１９が設けられていると、小窓を通過する光を拡散させて、レンズ部１７を介して見える映像を視認不能な状態にまで歪めながら、ドアパネルＰ越しに照明光が点灯しているか否かの確認を行える。
【００２４】
窓板３は、押え爪８の弾性に抗して段部７に圧嵌装着されて、その装着部１８が段部７と押え爪８とで内外に挟み固定される（図１参照）。このように、ホルダー２に段部７と押え爪８とが設けられていると、窓板３を段部７に対して単に押し込み装着するだけで、窓板３をホルダー２に組み付け固定できるので、例えば窓板３を段部２に接着し、あるいは溶着固定する場合に比べて、組立の手間を省き、その分だけ小窓のコストを削減できる。
【００２５】
上記のように窓板３が組み付けられたホルダー２は、図２に示すごとくドアパネルＰの表裏から、装着穴１に対して対向状に装着することにより小窓を構成する。このとき、ホルダー２は、弾性係合片５の係合案内面１５を装着穴１にあてがったのち、全体を押し込み操作するだけで装着穴１に固定できるので、ドアパネルＰに対する取り付けが簡単に行える。ドアパネルＰの厚みが増加しても、問題なく小窓を形成できる。
【００２６】
ホルダー２のフランジ４は、装着穴１の周縁壁に受け止められてドアパネルＰの表面に密着する。この装着状態においては、ホルダー２の全体が透明プラスチック材で形成してあるので、フランジ４を介してドアパネルＰの色が見え、あたかもフランジ４がドアパネルＰと同じ色合に着色してあるように見える。従って、ドアパネルＰの色がどのような色合であっても、ドアに適合できる小窓が得られることになる。換言すると、透明な１種類のホルダー２を用意するだけで、全てのドアに適用できる小窓が得られ、そのコストを削減化できる。
【００２７】
図５および図６は、小窓に関する本発明の別実施例を示す。そこでは、窓板３とホルダー２とを透明プラスチック材で一体に形成して、小窓の構造をさらに簡素化した。この場合のホルダー２は、段部７と押え爪８とを省略して、弾性係合片５のみがフランジ４の内面３個所に突設されている。このように、窓板３をホルダー２と一体に形成してあると、小窓の構成部品点数を削減して、その製造コストをさらに減少できる。他は先の実施例と同じであるので、同じ部材に同じ符号を付してその説明を省略する。
【００２８】
上記の実施例では、ホルダー２の全体を透明プラスチック材で形成したが、その必要はない。例えば、２色成形法によって、少なくともフランジ４が透明で、他の部分が不透明なプラスチック材で形成してもよい。窓板３はホルダー２の段部７に溶着固定することができる。フランジ４は、プラスチックやガラス等の透明材で形成することが好ましいが、半透明な素材で形成してもよい。光拡散部１９は、ダイヤカット状、あるいは梨地面で形成することができる。窓板３はレンズ機能を備えていることが好ましいが、必要に応じて透明板、あるいは半透明板で形成してもよい。
【図面の簡単な説明】
【図１】片方のホルダーを分離した状態での小窓の縦断側面図である。
【図２】小窓の使用例を示す正面図と断面図である。
【図３】ホルダーおよび窓板の分解斜視図である。
【図４】ホルダーの背面図である。
【図５】本発明の別実施例を示す縦断側面図である。
【図６】図５のホルダーを示す斜視図である。
【符号の説明】
１  装着穴
２  ホルダー
３  窓板
４  フランジ
５  弾性係合片
６  窓開口
７  段部
８  押え爪
Ｐ  ドアパネル
【図１】
2004360244.tif 000003
【図２】
2004360244.tif 000004
【図３】
2004360244.tif 000005
【図４】
2004360244.tif 000006
【図５】
2004360244.tif 000007
【図６】
2004360244.tif 000008